(57)【要約】【課題】室内などの狭いスペースでも体重移動やバランス感覚の習得に利用することができ、汎用性が高く安価に製造することができるボードバランス練習用器具を提供する。【解決手段】ボードバランス練習用器具１は、緩やかな凸型の曲面１２を上面部に有する上部箱体１０と、この上部箱体１０を内側に嵌合する凹状空間２２が形成された下部箱体２０とからなる。曲面１２は、矩形棒状の部品１１を一対の側壁部１０ａ，１０ｂの上辺に沿って並設して形成されている。上部箱体１０を下部箱体２０に嵌合した上で、サーフボード３０の緩やかなカーブを描く底面３１を曲面１２上に載せることにより、ボードのバランス中心を容易に見つけ出すことができる。また、曲面１２上に載せられたサーフボード３０上に人間２が乗ることにより、ボードのバランスと身体のバランスとを意識した練習を行うことができる。【選択図】図１
2008264300.tif 000002
【特許請求の範囲】
【請求項１】
ボードを載置する凸型の曲面を上面部に有する箱体からなることを特徴とするボードバランス練習用器具。
【請求項２】
前記箱体は、前記曲面を上面部に有する上部箱体と、前記曲面が側面から見て上方に突出した状態で前記上部箱体を内側に嵌合する凹状空間を有する下部箱体とからなることを特徴とする請求項１記載のボードバランス練習用器具。
【請求項３】
前記箱体は木材からなり、前記曲面は複数の矩形棒状の木材加工部品を前記曲面に沿って並設することにより形成されていることを特徴とする請求項１または２記載のボードバランス練習用器具。
【請求項４】
前記曲面上に貼り付けられた弾性を有する保護パットをさらに備えることを特徴とする請求項１〜３のいずれか１項記載のボードバランス練習用器具。
【発明の詳細な説明】
【技術分野】
【０００１】
この発明は、サーフボード、スノーボード、スケートボードなどのバランス感覚を習得するために用いるボードバランス練習用器具に関する。
【背景技術】
【０００２】
従来より、サーフィンにおいては、サーフボード上での身体の体重移動やバランス感覚が重要な要素であり、初心者がこのような体重移動やバランス感覚を習得するためには、通常は海に頻繁に通い、身体で覚えることが一番効果的である。しかし、諸般の事情によりそのような習得方法を実践できないサーファーも多いのが現実である。このため、室内などにおいて気軽に体重移動やバランス感覚の練習を行う練習用器具や練習方法の提案が望まれている。
【０００３】
そして、サーフィンにおいては、サーフボード上での身体の体重移動やバランス感覚を習得する第一段階として、パドリング（サーフボードの上に進行方向を見て腹這い状態になり両手で漕ぐ動作）の状態からテイクオフ（立ち上がること）する動作を習得することが必要である。このため、このようなパドリングやテイクオフの練習を室内などにおいて気軽にかつ確実に実践することができる練習用器具や練習方法が望まれている。
【０００４】
こうした要望に応えるものとして、下記特許文献１に開示されている練習具は、室内で体重移動やバランス感覚の練習を行うことを可能としたものである。この特許文献１に開示されている練習具は、ボード本体の底面に隆起球状部を形成し、練習者が体重を移動してボードのエッジが床につくように練習することによって、体重移動やバランス感覚を習得しようとするものである。
【０００５】
【特許文献１】特開２０００−３３４０６６号公報
【発明の開示】
【発明が解決しようとする課題】
【０００６】
しかしながら、上記特許文献１に開示されている練習具では、練習具の構成が複雑で安価に提供することが難しいという問題がある。また、サーフィンのパドリングなどの練習を対象としては想定していない構造のため、練習範囲が限られてしまい汎用性が低いという問題がある。
【０００７】
この発明は、上述した問題点に鑑みてなされたもので、室内などの狭いスペースでも体重移動やバランス感覚の習得に利用することができるとともに、汎用性が高く安価に製造することができるボードバランス練習用器具を提供することを目的とする。
【課題を解決するための手段】
【０００８】
本発明に係るボードバランス練習用器具は、上記目的を達成するため、ボードを載置する凸型の曲面を上面部に有する箱体からなることを特徴とする。
【０００９】
また、前記箱体は、例えば前記曲面を上面部に有する上部箱体と、前記曲面が側面から見て上方に突出した状態で前記上部箱体を内側に嵌合する凹状空間を有する下部箱体とからなる。
【００１０】
また、例えば前記箱体は木材からなり、前記曲面は複数の矩形棒状の木材加工品を前記曲面に沿って並設することにより形成されている。
【００１１】
また、例えば前記曲面上に貼り付けられた弾性を有する保護パッドをさらに備える構成とされていてもよい。
【発明の効果】
【００１２】
この発明によれば、室内などの狭いスペースでも体重移動やバランス感覚の習得に利用することができるとともに、汎用性が高く安価に製造することができるボードバランス練習用器具を提供することができる。
【発明を実施するための最良の形態】
【００１３】
以下、添付の図面を参照して、本発明に係るボードバランス練習用器具の実施の形態を詳細に説明する。
【００１４】
図１は、本発明の一実施形態に係るボードバランス練習用器具を示す分解斜視図、図２は同ボードバランス練習用器具の図１におけるＡ矢視図、図３は同ボードバランス練習用器具を用いてバランスが取れた場合の状態を示す説明図、図４は同ボードバランス練習用器具におけるボードのバランス取りを説明するための説明図、図５は同ボードバランス練習用器具を用いた練習動作を説明するための説明図である。
【００１５】
図１および図２に示すように、ボードバランス練習用器具１は、例えば図１（ａ）に示すような形状の上部箱体１０と、図１（ｂ）に示すような形状の下部箱体２０とを備えて構成されている。上部箱体１０は、下辺近傍の水平方向断面が矩形状に形成された木製部材からなり、上辺が曲線を描く板状の一対の側壁部１０ａ，１０ｂ（１０ｂは不図示）と、矩形板状の他の一対の側壁部１０ｃ，１０ｄとを貼り合わせて形成されている。
【００１６】
また、上部箱体１０は、一対の側壁部１０ａ，１０ｂの上辺に沿って、矩形棒状の複数の木材を加工した部品１１を並設することにより形成された、緩やかな凸型の曲面１２を備えて構成されている。なお、図示は省略するが、この曲面１２上に、弾性を有する保護パッドが貼り付けられていてもよい。
【００１７】
一方、下部箱体２０は、矩形板状の一対の側壁部２０ａ，２０ｂと、他の一対の側壁部２０ｃ，２０ｄとを、底板部２１を囲むように貼り合わせて形成されている。したがって、下部箱体２０の各側壁部２０ａ〜２０ｄおよび底板部２１で囲まれた部分には、上部箱体１０が、曲面１２が図中矢印Ａで示す方向から見た場合に上方に突出した状態で内側に嵌合される凹状空間２２が形成される。
【００１８】
なお、本例のボードバランス練習用器具１は、上述したように、上部箱体１０が各側壁部１０ａ〜１０ｄを貼り合わせて部品１１を並設した構造からなり、下部箱体２０に凹状空間２２が形成されている。このため、上部箱体１０と下部箱体２０とを嵌合した場合に、内部に形成される内部空間を小物入れとして利用することもできる。
【００１９】
また、ボードバランス練習用器具１は、上部箱体１０と下部箱体２０とを組み合わせた構造からなるため、両箱体１０，２０によってお互いの寸法ガタなどを打ち消し合うことができる構造となっている。
【００２０】
このように構成されたボードバランス練習用器具１では、上部箱体１０の曲面１２上にサーフボード、スノーボード、スケートボードなどの各種ボードを載せて、さらにその上に人間が乗ることによって、ボードのバランス中心を意識して人間のバランス感覚を養う練習を行うことが可能となる。
【００２１】
ここで、本例のボードバランス練習用器具１は、上述したように、上部箱体１０および下部箱体２０からなる構造を例に説明したが、例えば上面部に部品１１を並設して曲面１２を有する構造であれば、一つの箱体により構成されていてもよい。
【００２２】
このボードバランス練習用器具１を用いた練習動作としては、まず、図３に示すように、例えばサーフボード３０の底面３１と曲面１２とが当接するように、ボードバランス練習用器具１上にサーフボード３０を載せてバランス取りを行い、このサーフボード３０上に人間２が腹這い状態となるように乗って、さらにバランス取りを行う。これにより、バランス取りが重要な、例えばボードのバランス中心を常に意識して肩の力を抜いた状態でのパドリング時のバランス感覚を養う練習などを、室内などの狭小スペースにて容易に行うことが可能となる。
【００２３】
すなわち、どのようなボードも、いかなる状況下（例えば水面上に浮かべられている状況など）においても、バランスの中心は決まっている。このような前提に立ち返れば、下方に向けて緩やかな凸型のカーブを構成するサーフボード３０の底面３１を、この底面３１と逆の緩やかな凸型の曲面１２を有するボードバランス練習用器具１上に載置すれば、ボードのバランス中心がどこにあるのかを容易に探し出すことが可能となる。
【００２４】
具体的には、図４に示すように、サーフボード３０をボードバランス練習用器具１の曲面１２上に載せたときに、ボードのバランスが取れている場合は、サーフボード３０は水平に安定した状態となる。一方、図中矢印Ｂで示すボードの前方にバランスが崩れている場合は、サーフボード３０は二点鎖線３０ａで示すように前方側に傾いた状態となる。同様に、図中矢印Ｃで示すボードの後方にバランスが崩れている場合は、サーフボード３０は二点鎖線３０ｂで示すように後方側に傾いた状態となる。
【００２５】
このように、本例のボードバランス練習用器具１では、各種ボードを曲面１２上に載せるだけで、各種ボードのバランス取りを容易に行うことができる。このため、ボードのバランス取りを短時間で行った上で人間のバランス感覚を養う練習に移行することができ、練習効率の向上や練習時間の短縮などを図ることが可能となる。
【００２６】
また、図５に示すように、本例のボードバランス練習用器具１は、パドリング動作時の練習のみならず、テイクオフ動作時の練習にも用いることができる。テイクオフ動作は、例えば次のように行われる。まず、同図（ａ）に示すように、ボードバランス練習用器具１上に載置されたサーフボード３０上の腹這い状態の人間３は、ボードのバランスをとりながら両手４を後方に伸ばし、上体をやや後方に反らした状態となる。
【００２７】
次に、同図（ｂ）に示すように、バランスをとりつつ両手４を折り曲げてサーフボード３０の天面上に掌を付け、上体を支える。そして、同図（ｃ）に示すように、両手４を直線状に伸ばして上体を大きく反らせ、同図（ｄ）に示すように、バランスをとりながら一方の足５を上体側に引き寄せてその膝を天面上に付き、立ち上がる体勢の準備を行う。
【００２８】
このまま、同図（ｅ）に示すように、もう一方の足５を、バランスをとりながら上体の胸近傍に膝が位置するように引き寄せて、同図（ｆ）に示すように、腰を下方に下げて一方の足５の膝および両手４の掌で身体を支える状態に持っていく。最後に、同図（ｇ）に示すように、両手４の掌を天面上から離し、両足５のみで身体を支えてサーフボード３０上に立ち上がる。
【００２９】
このように、本例のボードバランス練習用器具１を用いれば、上述したテイクオフ動作時においても、常にボードのバランスと身体のバランスとを意識した練習を室内などの狭小スペースにて行うことが可能となる。また、本例のボードバランス練習用器具１は、木材により形成され小型に構成されているため、安価に製造することができ、複数種類のバランス感覚を養う練習を行うことができるので、汎用性が高い。
【００３０】
このボードバランス練習用器具１の寸法は、特に限定されるものではないが、例えば底面が２００×２００ｍｍ〜４００×４００ｍｍ程度、高さが１００〜２００ｍｍ程度の大きさとすることができる。曲面１２の曲率半径および円弧部の高さは、一般向けとしては、３０００ｍｍ、１５ｍｍ程度が好ましいが、練習者の体力や技術レベルに合わせて、例えば曲率半径を２１００ｍｍ〜５５００ｍｍ、円弧部の高さを１２〜２５ｍｍの範囲で適宜選択して設定することができる。
【００３１】
以上、本発明の実施の形態を説明したが、本発明はこれらに限定されるものではなく、発明の趣旨を逸脱しない範囲内において、種々の変更、追加等が可能である。例えば、上記実施の形態では、ボードバランス練習用器具１が木材からなる構成としたが、金属や樹脂などにより構成されていてもよい。また、サーフボード３０を例に挙げて説明したが、スノーボードやスケートボードなどの各種ボードの練習に用いることも可能である。
【図面の簡単な説明】
【００３２】
【図１】本発明の一実施形態に係るボードバランス練習用器具を示す分解斜視図である。
【図２】同ボードバランス練習用器具の図１におけるＡ矢視図である。
【図３】同ボードバランス練習用器具を用いてバランスが取れた場合の状態を示す説明図である。
【図４】同ボードバランス練習用器具におけるボードのバランス取りを説明するための説明図である。
【図５】同ボードバランス練習用器具を用いた練習動作を説明するための説明図である。
【符号の説明】
【００３３】
１…ボードバランス練習用器具、１０…上部箱体、１１…部品、１２…曲面、２０…下部箱体、２１…底板部、２２…凹状空間。
【図１】
2008264300.tif 000003
【図２】
2008264300.tif 000004
【図３】
2008264300.tif 000005
【図４】
2008264300.tif 000006
【図５】
2008264300.tif 000007